(57)【特許請求の範囲】
【請求項１】
トレー上面に平面視四角形のＩＣを収納する収納部を有し、トレーの下面に、トレーを重ねた際に下段のトレーに形成された収納部に収納される平面視四角形のＩＣの上面端部に対応する箇所に板バネを有する、バネ部を設け、該バネ部はトレーを重ねた際に下段のトレーの収納部外周方向に板バネを延設し、板バネの先端部が下段のトレーの収納部に収納される平面視四角形のＩＣの２対の対向する上面端部に位置するように形成すると共に、板バネの先端部下面は先端に向けて下方に斜状をなしていることを特徴とするＩＣ固定収納トレー。
【請求項２】
バネ部はトレー本体に着脱自在に設けたことを特徴とする請求項１に記載のＩＣ固定収納トレー。
【請求項３】
各収納部に対応するバネ部を夫々に連結して一連に形成したことを特徴とする請求項２に記載のＩＣ固定収納トレー。
【発明の詳細な説明】
【０００１】
【発明の属する技術分野】
本発明はＩＣを収納し、保存、運搬するトレーに関する。
【０００２】
【従来の技術】
従来のＩＣ収納トレーは輸送中の振動によるＩＣとトレーの衝突からゴミの発生やメッキ、端子、表面の印刷等の破損を防止する為に、収納するＩＣの寸法に対応させたサイズのＩＣを収納するポケットを形成したトレーを使用していた。即ち、収納ポケットの側面とＩＣの側面を密着するような形状としたり、トレーを重ねた際に上段のトレーの下面から突出させた硬質の支持材によりＩＣを上方から押さえつけたりしていた。そして、トレーに形成された複数の収納ポケットは全て同一形状にて形成されていた。
【０００３】
しかし、特に大型で重いＩＣの場合には上述の様なゴミの発生やメッキ、端子、表面の印刷等の破損が生じ易いものであるが、大型で重いＩＣ、例えばＩＣボディーがセラミック等で作られているものは、寸法のばらつきが大きく、上述の様な従来のトレーでは収納することができず、また、このようなばらつきを考慮してトレーを設計、製作することは非常に困難であり、費用も高額なものになってしまう。かといって寸法にばらつきがあるＩＣをその寸法の違いに関わらず収納可能とすると、収納ポケットをＩＣの寸法より大きく余裕を持って形成することになり、収納ポケット内でＩＣが動いてしまい、ゴミの発生やメッキ、端子、表面の印刷等の破損が生じてしまう。
【０００４】
【発明が解決しようとする課題】
そこで、寸法のばらつきが大きい複数のＩＣであっても、１のトレーで収納することが可能であり、且つ収納した全てのＩＣを安定的に固定することが可能なＩＣ収納トレーの提供が望まれていた。
【０００５】
【課題を解決するための手段】
上記問題を解決するため、本発明では、トレー上面にＩＣを収納する収納部を有し、トレーの下面に、トレーを重ねた際に下段のトレーに形成された収納部に収納されるＩＣの上面端部に対応する箇所に板バネを有する、バネ部を設けたことを特徴とする。
【０００６】
【発明の実施の形態】
以下本発明の実施の形態を図に従って説明する。
１はトレーであり、側壁３と底板４に囲まれたＩＣを収納する収納部たる収納ポケット２を適宜数備えていると共に、載置台５、脚部６、側縁７、側脚８を有しているトレー本体１１とバネ部９により構成されている。
【０００７】
トレー本体１１はポリスチレン、ポリエチレン、ポリプロピレン、塩化ビニル樹脂等の熱可塑性を有する合成樹脂、或はこれらに帯電防止のために導電性や弾力性をもたせる為に導電性を有するグラファイト、カーボンブラック、炭素繊維、弾力性を有するポリブタジエンなどのゴム等の補強材を添加したもの等を使用して、射出成型等により形成する。
【０００８】
収納ポケット２はＩＣ１０を収納する収納部たる空間であり、底板４と側壁３に囲まれて形成されている。収納ポケット２は収納するＩＣ１０の大きさに適応させて適宜のサイズで、適宜数形成する。収納ポケット２の四隅の底板４上には突起状の載置台５を形成し、ＩＣ１０を収納ポケット２に収納する際にＩＣ１０を載置台５上に載置する。勿論、載置台５は収納ポケット２の底板４上の四隅に限られず、底板４上の外周に渡って形成する等してもよく、又、全く形成しないこととしてもよい。
【０００９】
側壁３はＩＣ１０を収納ポケット２に収納した際にＩＣ１０上端部より高くなるように収納ポケット２の外周に渡って形成し、その側部には側壁３の半分程度の高さを有する脚台３１を形成する。尚、側壁３は必ずしも収納ポケット２の全ての外周に渡って形成しなくてもよい。
【００１０】
底板４には孔４２をトレー１の軽量化、原材料の節約等の為に適宜大、適宜数形成すると共に、トレー本体１１とバネ部９の結合のための挿入孔４１を収納ポケット２の四隅の対角線が交差する位置に形成する。
【００１１】
脚部６は底板４の下面からトレー１，１を重ねた際に下段のトレー１の脚台３１上に位置するように植立して、収納ポケット２の一辺に対して一以上の適宜数を適宜幅に、加えてトレー１，１を重ねた際に下段のトレー１の脚台３１とはＩＣ１０非収納時は接触しない高さ、且に脚台３１と接触した際に収納ポケット２に収納されたＩＣ１０の高さとバネ部９の高さを加えた高さ以上に収納ポケット２の高さが保たれる高さに形成する。
【００１２】
脚部６は隣接する収納ポケット２，２を仕切る一辺の側壁３に対して二の脚部６，６で側壁３を挟み込み、トレー１，１の横ずれを防止している。ＩＣ１０，１０…を収納しトレー１，１…を重ねた際にはＩＣ１０及びトレー１の重み或は何らかの外圧等でトレー１が撓む場合があるが、この場合には上段のトレー１の脚部６，６…が下段のトレー１の脚台３１，３１と接触し、それ以上のトレー１の下方への撓みを防止し、ＩＣ１０の損傷を防止するものである。
【００１３】
側縁７はトレー本体１１の外周に張り出した縁であり、トレー１，１を重ねた際に上段のトレー１の側脚８を載置する箇所である。側脚８は側縁７から下方に植立させたトレー１を支える脚である。
【００１４】
バネ部９は板バネ９１，９１…と基部９２と挿入突起９２１から構成され、弾性を有する合成樹脂を使用して射出成形等により成形されている。使用する合成樹脂は適宜の弾性を有するものであれば特に限定されないが、耐疲労性が優れており、曲げ強さなどの機械的性質が優れたポリアセタールで成形することは推奨される。
【００１５】
バネ部９は基部９２の側面から適宜数の板バネ９１，９１…を延設すると共に、基部９２の上面に挿入突起９２１を凸設して形成する。基部９２は底板４に接触し、板バネ９１の支点となる部位である。板バネ９１は一の対向する脚部６，６と平行に、その先端が他の対向する脚部６に近接するように、基部９２の側面から延設する適宜幅の板状に形成したバネである。
【００１６】
より具体的には長方体の基部９２の短辺の側面から基部９２と板バネ９１，９１が直線上に位置するように夫々一側面から一本づつの板バネ９１を延設すると共に、基部９２の長辺の側面から前記直線状となった基部９２と板バネ９１，９１に直交する板バネ９１を一側面から夫々二本づつ延設して形成する。勿論バネ部９はこの様な形状に限定されるものではなく、一の基部の四側面から夫々一本づつの４本の板バネを延設して形成された十字形、或はロの字形の基部の四側面から夫々二本づつの８本の板バネを延設して形成された井の字形等としてもよい。
【００１７】
又、バネ部９は、基部９２上面は底板４の下面に接触するが、板バネ９１は上面を基部９２より低く形成し、板バネ９１は底板４の下面に接触せずにバネが上下するための適宜の空間を有するように形成する。更に、板バネ９１の先端部下面は先端に向けて下方に斜状に形成或は板バネ９１自体を基部９２から先端に向けて下方に延設する。
【００１８】
挿入突起９２１は基部９２上面上に挿入孔４１に嵌挿可能な形状に植立形成し、挿入突起９２１を挿入孔４１に嵌挿してトレー本体１１とバネ部９を結合するためのものである。
【００１９】
バネ部９はトレー本体１１への装着の便宜のため、及び成形時の便宜のために、適宜数のバネ部９，９…を結合杆９３にて結合させて形成することとしてもよい。結合杆９３は基部９２，９２間に介設し、結合杆９３はバネ部９をトレー本体１１に設置した際に底板４に接触してもよいが、収納したＩＣ１０に接触することがないようにバネ部９の底面より高く形成する。この場合には脚部６に底板４に達する切欠部６１を形成して、該切欠部６２に結合杆９３を渡してバネ部９，９…を設置する。
【００２０】
尚、バネ部９はトレー本体１１と別個に形成せずに一体形成し、或は別個に形成した後に着脱不可に接着等して設置することとしてもよく、更に、バネ部９は基部９２を有さずに底板４或は脚部６から直接に板バネのみを延接することとしてもよい。
【００２１】
ＩＣを収納する際には載置台５，５…にＩＣ１０を載置し、ＩＣ１０，１０…が収納されたトレー１の側縁７上に他のトレー１の側脚８を載置してトレー１，１…を重ねる。この場合に、上段のトレー１に設置されたバネ部９の板バネ９１，９１…が下段のトレー１に収納されたＩＣ１０の上面端部を押止することになり、ＩＣ１０は収納ポケット２内に固定される。
【００２２】
【発明の効果】
以上のように請求項１に記載の発明では、トレー上面にＩＣを収納する収納部を有し、トレーの下面に、トレーを重ねた際に下段のトレーに形成された収納部に収納されるＩＣの上面端部に対応する箇所に板バネを有する、バネ部を設けたので、寸法のバラツキが大きい複数のＩＣであっても、板バネによりＩＣを上方から押圧することができるので、ＩＣの寸法には厳密には対応しない、ＩＣを固定することができない収納部が形成されたトレーであっても、ＩＣの寸法を気にせずに一のトレーで収納する全てのＩＣを安定的に固定収納することが可能となった。
【００２３】
又、請求項２に記載の発明では、バネ部はトレーを重ねた際に下段のトレーの収納部外周方向に板バネを延設し、その先端部が下段のトレーの収納部に収納されるＩＣの少なくても対向する両上面端部に位置するように形成すると共に、板バネの先端部下面は先端に向けて下方に斜状をなしていることとしたので、その形状によって、より様々なサイズのＩＣに対応し、幅広いサイズのＩＣを確実に保持することが可能であると共に、その作用から、ＩＣの上面端部を斜め上方から押圧することにより、より安定的で確実に且つその機能に悪影響を与えることなくＩＣを固定収納することが可能となった。
【００２４】
又、請求項３に記載の発明では、バネ部はトレー本体に着脱自在に設けたので、板バネを装着しないトレーとしても使用することが可能であり、トレーの幅広い利用が可能である。
【００２５】
又、請求項４に記載の発明では、各収納部に対応するバネ部を夫々に連結して一連に形成したので、トレー本体への装着時に一個づつバネ部を取り付ける必要がなく大変便利であり、又、成形時にも便利である。
【図面の簡単な説明】
【図１】  本発明一実施例一部下面斜視図
【図２】  本発明一実施例一部上面図
【図３】  図２Ａ−Ａ断面図
【図４】  図２Ｂ−Ｂ断面図
【符号の説明】
１     トレー
１１   トレー本体
２     収納ポケット
３     側壁
４     底板
５     載置台
６     脚部
７     側縁
８     側脚
９     バネ部
９１   板バネ
９２   基部
９２１ 挿入突起
９３   結合杆
１０  ＩＣ
【図１】
0004648534.tif 000002
【図２】
0004648534.tif 000003
【図３】
0004648534.tif 000004
【図４】
0004648534.tif 000005